(57)【要約】【課題】ボディの左右の側壁部を省略する代わりに、カードの案内作用をケースの側板部を行うことによって、カードコネクタを超小形カードの大きさに見合う大きさにする。合成樹脂製のボディの強度をケースによって補強する。【解決手段】ボディ２が薄肉の底壁部２１と前壁部２２とを有し、ケース３が上板部３６とボディ２の全体を内側に抱え込む左右の側板部３１とを有する。スライダ５の前後移動をケース３の側板部３１とボディ２側の突条２５とによって案内する。スライダ５の把手としての突起５３を、ケース３の開口３５から突出させる。ボディ２の底壁部２１の後端部に位置決め用のボス２８を設け、このボス２８の溝部２９にケース３側の係止片３７を係止させる。ケース３側の内向き片６２に前上がりの弾性支持片６３を連設する。【選択図】        図１
2004200096.tif 000002
【特許請求の範囲】
【請求項１】
接点列を有するボディとそのボディに装着されたケースとによってカードスロットが形成されたコネクタ本体と、上記カードスロットに挿入されたカードを位置決めするロック手段と、上記カードスロットに挿入されるカードにより押し込まれて往動しその押込み位置から復動されることによってカードを排出方向に押し戻すスライダと、上記カードスロットに挿入されたカードの脱落を防ぐ抜落ち防止手段と、を備えるカードコネクタにおいて、
上記ボディが平板状の底壁部とその底板部の前端縁に沿って延びる前壁部とを有し、上記ケースが上記ボディの底壁部に対向する上板部とその上板部に連設されて上記カードスロットに対して挿抜される上記カードの左右両端面を摺動状態で案内しかつ上記ボディの全体を内側に抱え込む左右の側板部とを有し、
上記スライダが上記ボディの底壁部と上記ケースの上板部とに接触して前後に摺動可能に配備され、かつ、そのスライダに設けられた突起が、上記ケースに開設された前後方向に延びる開口に嵌合されてその開口の前側口縁と後側口縁との間で前後に押引き操作可能とされていると共に、そのスライダに、上記ケースの左右の側板部に案内されて挿入されたカードの前端コーナが突き当たるカード受部が備わっていることを特徴とするカードコネクタ。
【請求項２】
上記ボディの底壁部に、前後方向に延びて上記開口を備えた側壁部に間隔を隔てて左右方向で対向する突条が備わり、その突条が、上記カードスロットに正規姿勢で挿入されてきたカードに具備されてそのカードの前端から後方へ向かって延び出た凹入溝に嵌合してそのカードのカードセット位置への挿入を許容し、かつ、裏返し姿勢で挿入されてきたカードの前端に突き当たってそのカードのカードセット位置への挿入を阻止するようになっていると共に、上記ケースの側板部と上記突条とが上記スライダに具備された座部を前後方向摺動可能に挟んでいる請求項１に記載したカードコネクタ。
【請求項３】
上記スライダのカード受部が、その座部の上側でその座部から突き出ていて、そのカード受部の座部からの突出し部分と座部とによって形成される入隅部に上記突条が配備されている請求項２に記載したカードコネクタ。
【請求項４】
上記スライダの上記突起が、上記開口の外側に突き出された把手として形成されている請求項１に記載したカードコネクタ。
【請求項５】
上記接点列を形成している個々の接点を備えた複数の接片部材が、上記ボディの前壁部の複数箇所に固定され、それぞれの接片部材に上記前壁部から後方へ延び出て上記カードの電極に弾接される板片部が備わり、カードの電極との弾接時のそれらの板片部の下方への撓み代を、そのボディの上記底壁部に形成した開口によって確保してある請求項１に記載したカードコネクタ。
【請求項６】
上記ボディの底壁部の後端部に、下方へ突き出てこのボディが重なり状に設置される板面に形成された位置決め孔に嵌合される位置決め用の凸部が備わり、上記ケースの側板部に曲成された内向きの係止片を、その凸部に形成されてその凸部の外面で開口する凹窪状の溝部に嵌入して係止させることによって、上記溝部と上記係止片との係止構造を形作っている請求項１に記載したカードコネクタ。
【請求項７】
上記凸部が、上記ボディの底壁部の後端側の左右のコーナ部のそれぞれに設けられた左右のボスによって形成されているのに対し、内向きの上記係止片が、上記ケースの左右の側板部のそれぞれに具備され、上記溝部と上記係止片との係止構造が、左右の上記ボスと上記ケースの左右の側板部のそれぞれに具備された内向きの係止片とによって形作られている請求項６に記載したカードコネクタ。
【請求項８】
上記ボディの前壁部の左右の両端面と上記ケースの左右の側壁の前端部内面とが各別に重なり合い、かつ、それらの重なり箇所で、上記ボディの前壁部と上記ケースの側板部とが結合されている請求項６又は請求項７に記載したカードコネクタ。
【請求項９】
上記ケースの上板部と左右の側板部とが上記ボディの底壁部の後端よりも後方へ延出されていると共に、左右の上記側板部に、上記上板部の後端部に対向してカードの挿入口を形成する内向き片が備わっている請求項１に記載したカードコネクタ。
【請求項１０】
上記内向き片に、上記挿入口に挿入されるカードをその内向き片が重ね合わされる配線基板の板面から浮き上がらせる前上がりの弾性支持片が前向きに延出されている請求項９に記載したカードコネクタ。
【請求項１１】
上記ケースの左右の側板部のうちのいずれかに、その他方側と共働して上記挿入口から挿入されたカードを摺動可能に弾圧挟持する弾性片部が一体形成されていて、この弾性片部によって上記抜落ち防止手段が形成されている請求項９又は請求項１０に記載したカードコネクタ。
【請求項１２】
上記ケースの左右の側板部のうちのいずれかに、カードセット位置に挿入されたカードの側端部に具備されている凹入部に嵌合し、かつ、カードに排出方向の一定値以上の力が加えられてそのカードが排出方向に後退したときにそのカードによって上記凹入部から押し出される山形係合部を備えた弾性部が一体形成されていて、この弾性部によって上記ロック手段が形成されている請求項１に記載したカードコネクタ。
【請求項１３】
上記接点列を形成している個々の接点を備えた複数の接片部材が上記ボディの前壁部の複数箇所に固定され、それぞれの接片部材に、上記前壁部から前方へ突出されて上記ボディが重ね合わされる配線基板に半田付けされる半田付け端子が備わっていると共に、上記ケースの左右の側板部が上記ボディの底壁部の後端よりも後方へ延出されてそれらの側板部の後端部に、上記ボディが重ね合わされる配線基板に半田付けされる半田付け端子が備わっている請求項１に記載したカードコネクタ。
【発明の詳細な説明】
【０００１】
【発明の属する技術分野】
本発明は、カードコネクタ、特に、カードイジェクト機構やカードの不慮の脱落を防ぐ対策が講じられているカードコネクタに関する。
【０００２】
【従来の技術】
従来、底壁部と左右の側壁部を備えたボディとそのボディに装着したケースとによって形成される空間をカードスロットとしたコネクタ本体を備え、コネクタ本体のカードスロットにボディの側壁部で案内させつつカードを挿入すると、ボディの底壁部で配列されている接点列にカードの電極が弾接するようになっているカードコネクタが知られていた。また、上記コネクタ本体のボディにスライダを取り付け、そのスライダがカードを挿入することによって前方へ押し込まれ、かつ、そのスライダを後退させることによってカードが排出されるようになっているカードコネクタや、スライダに一体に成形した弾性部材やそのスライダに組み込んだばね部材を利用することによって、カードスロットに挿入したカードをその位置に位置決めして接点列との接続安定性を確保し、併せてカードを脱落防止するようにしたカードコネクタも知られていた。
【０００３】
一方、特許文献１として掲げた先行例１には、ベースに取り付けられたコネクタ本体に、カード挿入ガイドとして機能する左右の側壁部を具備させると共に、ベース側に、コネクタ本体のカードスロットに挿入されたカードを排出するためのイジェクト部材としてのアームを揺動可能に取り付け、そのアームをイジェクトボタンの押込み操作を通じて揺動させることでカードを排出するようにした構成が示されている。
【０００４】
また、特許文献２として掲げた先行例２には、底壁部とカード挿入ガイドとして機能する左右の側壁部を具備するハウジングとそのハウジングに装着したフレームとによってカードスロットを形成すると共に、ハウジングとフレームとによって形作られている空間に、カードスロットへのカードの挿入により押し込まれてその押込み位置でロックされ、かつ、押込み位置でのカードの再押込みによりロック解除されてばね付勢により押し戻されてカードを排出するスライダが配備され、そのスライダに、カードを位置決めするためのばね部材を組み込んだ所謂プッシュプッシュ操作されるメモリカード用コネクタについての記載がある。
【０００５】
【特許文献１】
特開２０００−３１５５４４号公報
【特許文献２】
特開２００１−２９１５５２号公報
【０００６】
【発明が解決しようとする課題】
しかしながら、上記した従来例や各先行例に見られるボディには一般的に合成樹脂成形体が用いられることから、必要強度などとの関係からボディの側壁部の厚さを薄くすることに制約がある。そのため、従来例や各先行例のように、ボディとそのボディに取り付けたケースとにより形成される空間をカードスロットとして形成する場合、カードスロットにカードを挿入するときにボディの側壁部でカードを案内させようとすると、ボディの左右に比較的厚肉の側壁部を具備させておくことが不可欠になってそれら左右の側壁部の厚さ分だけカードコネクタ全体の横幅が拡がってカードコネクタのコンパクト化が阻害される。その結果、カード幅の最大値が２０ｍｍ前後で厚さが２ｍｍ以下というような超小形カードを使用対象とするカードコネクタでは、カード幅に比べてカードコネクタ全体の幅が大きくなりすぎて超小形カードを使用対象とする意味合いが薄れてくる。
【０００７】
そこで、ボディの側壁部を省略し、肉薄でも強度を確保しやすい板金製のケースに側板部を具備させ、その側板部によってカードの挿入を案内させるということが考えられるけれども、そのようにすると、接点列を形成する個々の接点を備えた複数の接片部材が配備されるボディの底壁部を厚肉化してその必要強度と配線基板への取付け性を確保しておく必要が生じ、カード厚さに比べてカードコネクタ全体の厚さが厚くなりすぎて薄肉の超小形カードを使用対象とする意味合いが薄れてくる。
【０００８】
また、従来例や先行例２のように、スライダに弾性部材やばね部材を具備させ、それらの弾性部材やばね部材を利用してカードの位置決めないしロックを行うようにした場合には、スライダが弾性部材やばね部材の配備スペースを確保し得る大きさを有していることが要求されるので、スライダの小形化を図ることが不可能になり、そのことがカードコネクタを超小形カードに合わせて小形化するということの障害になる。
【０００９】
本発明は以上の状況の下でなされたものであり、ボディの左右の側壁部を省略し、その代わりに、カードスロットに挿入されるカードの案内作用をケースの側板部が発揮するように構成し、しかも、スライダによってカードを排出することが可能になるカードコネクタを提供することを基本とし、そのようなカードコネクタに用いられるボディやスライダの小形化を通じて全体のコンパクト化を達成しやすくなるカードコネクタを提供すること、特に、全体幅をカードスロット幅とケースの左右の側板部の厚さとを合わせた程度の寸法に縮小することのできるカードコネクタを目的とする。
【００１０】
また、本発明は、スライダを、余分な部品を用いず、ボディとケースとの２部品だけで前後移動可能に配備することができるような対策を講じることにより、そのスライダの組付けスペースの拡大を防ぎ、それによって小形化が阻害されにくくなるカードコネクタを提供することを目的とする。
【００１１】
さらに、本発明は、合成樹脂成形体によって形成されるボディの底壁部を、成形技術面で許容される最小の肉厚寸法にしてその薄形化を図り、しかも、ボディに組み付けられる接片部材を底壁部に近付けて配備することによって全体の薄形化を図っても、ボディやその底壁部の必要強度を確保しやすく、併せて、接片部材に十分に大きな撓み代を確保しやすくなるカードコネクタを提供することを目的とする。
【００１２】
さらに、本発明は、当該カードコネクタを配線基板の板面に重ね合わせて搭載した場合でも、カードスロットに挿入されるカードと配線基板の板面との間に十分に広い隙間が確保されるようにすることによって、カードスロットに対して挿抜されるカードが配線基板の板面と擦れて損傷するといった事態の起こりにくいカードコネクタを提供することを目的とする。
【００１３】
さらに、本発明は、超小形カードに合わせてその大きさを縮小することによる小形化を図っても、カードがカードセット位置から不慮に引き抜かれる可能性を抑えることを可能にしてカードコネクタの接続安定性を向上させることを目的とする。
【００１４】
さらに、本発明は、余分な部品を用いずに、カードをカードセット位置で位置決めしてロック状態にしたり、カードをカードセット位置以外の箇所でハーフロックしたり、カードの不慮の抜落ちを防ぐことのできるカードコネクタを提供することを目的とする。
【００１５】
さらに、本発明は、配線基板に実装したときの実装強度を向上させることのできるカードコネクタを提供することを目的とする。
【００１６】
【課題を解決するための手段】
本発明に係るカードコネクタは、接点列を有するボディとそのボディに装着されたケースとによってカードスロットが形成されたコネクタ本体と、上記カードスロットに挿入されたカードを位置決めするロック手段と、上記カードスロットに挿入されるカードにより押し込まれて往動しその押込み位置から復動されることによってカードを排出方向に押し戻すスライダと、上記カードスロットに挿入されたカードの脱落を防ぐ抜落ち防止手段と、を備える。したがって、このカードコネクタによると、コネクタ本体のカードスロットに挿入されたカードがロック手段によって位置決めされる。そして、スライダを復動させることによってカードが排出される。また、コネクタのカードスロットに挿入されたカードの抜落ちが抜落ち防止手段によって防止される。
【００１７】
本発明では、上記ボディが平板状の底壁部とその底板部の前端縁に沿って延びる前壁部とを有し、上記ケースが上記ボディの底壁部に対向する上板部とその上板部に連設されて上記カードスロットに対して挿抜される上記カードの左右両端面を摺動状態で案内しかつ上記ボディの全体を内側に抱え込む左右の側板部とを有する。この構成であれば、カードスロットに挿入されるカードがケースの左右の側板部により案内されるため、カードコネクタの全体幅が、カードスロットの横幅とケースの左右の側板部の厚さとを合わせた寸法に見合う寸法になる。また、カードコネクタの全体厚さが、ボディの底壁部の厚さとカードスロットの高さとケースの上板部の厚さとを合わせた寸法に見合う寸法になる。
【００１８】
また、本発明では、上記スライダが上記ボディの底壁部と上記ケースの上板部とに接触して前後に摺動可能に配備され、かつ、そのスライダに設けられた突起が、上記ケースに開設された前後方向に延びる開口に嵌合されてその開口の前側口縁と後側口縁との間で前後に押引き操作可能とされていると共に、そのスライダに、上記ケースの左右の側板部に案内されて挿入されたカードの前端コーナが突き当たるカード受部が備わっている。この構成であると、スライダの前後移動経路がボディの底壁部とケースの上板部とによって規制され、しかも、スライダの前後移動幅がケースに具備された前後方向に延びる開口の前後の口縁によって規制される。
【００１９】
本発明では、上記ボディの底壁部に、前後方向に延びて上記開口を備えた側壁部に間隔を隔てて左右方向で対向する突条が備わり、その突条が、上記カードスロットに正規姿勢で挿入されてきたカードに具備されてそのカードの前端から後方へ向かって延び出た凹入溝に嵌合してそのカードのカードセット位置への挿入を許容し、かつ、裏返し姿勢で挿入されてきたカードの前端に突き当たってそのカードのカードセット位置への挿入を阻止するようになっていると共に、上記ケースの側板部と上記突条とが上記スライダに具備された座部を前後方向摺動可能に挟んでいることが望ましい。これによれば、突条によってカードの誤挿入（裏返し挿入）が防止されるだけでなく、その突条とケースの側板部とボディの底壁部のケースの上板部とによってスライダが前後移動に保持される。そのため、スライダを、余分な部品を用いずにボディとケースとの２部品だけで前後移動可能に配備することができるようになる。
【００２０】
本発明では、上記スライダのカード受部が、その座部の上側でその座部から突き出ていて、そのカード受部の座部からの突出し部分と座部とによって形成される入隅部に上記突条が配備されていることが望ましい。これによれば、座部からのカード受部の突出し幅を大きくしてカードとの係合性を向上させても、そのカード受部が突条の上側に配備されるためにカードコネクタの全体幅がカード受部の突出し幅を大きくすることに見合って拡がるということがない。したがって、カードの挿入動作に連動するスライダの動作安定性を、カードコネクタの大形化を伴うことなく高めることが可能になる。
【００２１】
本発明では、上記スライダの上記突起が、上記開口の外側に突き出された把手として形成されていることが望ましい。これによれば、把手を容易に操作することができるようになるため、カードを楽にかつ容易に排出することが可能になる。
【００２２】
本発明では、上記接点列を形成している個々の接点を備えた複数の接片部材が、上記ボディの前壁部の複数箇所に固定され、それぞれの接片部材に上記前壁部から後方へ延び出て上記カードの電極に弾接される板片部が備わり、カードの電極との弾接時のそれらの板片部の下方への撓み代を、そのボディの上記底壁部に形成した開口によって確保してあることが望ましい。これによれば、接片部材の板片部をボディの底壁部に近付けて配備しても、その板片部の撓み代が底壁部の開口によって確保されるため、板片部に大きな撓み代を付与し得るにもかかわらず、カードコネクタの厚さを薄くすることが可能になる。
【００２３】
本発明によれば、上記ボディの底壁部の後端部に、下方へ突き出てこのボディが重なり状に設置される板面に形成された位置決め孔に嵌合される位置決め用の凸部が備わり、上記ケースの側板部に曲成された内向きの係止片を、その凸部に形成されてその凸部の外面で開口する凹窪状の溝部に嵌入して係止させることによって、上記溝部と上記係止片との係止構造を形作っていることが望ましい。これによれば、ボディの底壁部がケースに結合されて補強されるようになるので、その底壁部を薄くしても必要強度を確保しやすくなる。また、ケースの係止片を、ボディの底壁部に形成した位置決め用の凸部を利用してその溝部に係止させる構成を採用したので、底壁部に係止片の係止箇所を別途確保する必要がないという利点がある。
【００２４】
本発明によれば、上記凸部が、上記ボディの底壁部の後端側の左右のコーナ部のそれぞれに設けられた左右のボスによって形成されているのに対し、内向きの上記係止片が、上記ケースの左右の側板部のそれぞれに具備され、上記溝部と上記係止片との係止構造が、左右の上記ボスと上記ケースの左右の側板部のそれぞれに具備された内向きの係止片とによって形作られていることが望ましい。これによれば、ボディの底壁部がその後端側の左右のコーナ部でケースに結合されるため、ケースによる底壁部の補強作用が効果的に発揮される。
【００２５】
本発明では、上記ボディの前壁部の左右の両端面と上記ケースの左右の側壁の前端部内面とが各別に重なり合い、かつ、それらの重なり箇所で、上記ボディの前壁部と上記ケースの側板部とが結合されていることが望ましい。これによれば、ボディの前端部と後端部とがケースに結合されるため、ケースによる補強作用がボディの全体に及びやすくなる。
【００２６】
本発明では、上記ケースの上板部と左右の側板部とが上記ボディの底壁部の後端よりも後方へ延出されていると共に、左右の上記側板部に、上記上板部の後端部に対向してカードの挿入口を形成する内向き片が備わっている、という構成を採用することができ、これによれば、カードスロットの前後長さを短くしてカードの挿抜時の操作性能を高めることが可能でありながら、カードの全体をケースで覆ってそのシールド性などを向上させることが可能になる。
【００２７】
本発明では、上記内向き片に、上記挿入口に挿入されるカードをその内向き片が重ね合わされる配線基板の板面から浮き上がらせる前上がりの弾性支持片が前向きに延出されていることが望ましい。これによれば、前上がりの弾性支持片によって持ち上げられたカードがカードスロットに挿入されるようになるので、カードがボディの底壁部に突き当たったり引掛かったりするという事態が起こりにくい。また、カードコネクタが配線基板に重ね合わせて実装されている場合であっても、前上がりの弾性支持片によってカードが持ち上げられるために、そのカードが配線基板の板面に擦れて損傷するという事態が起こりにくい。
【００２８】
本発明では、上記ケースの左右の側板部のうちのいずれかに、その他方側と共働して上記挿入口から挿入されたカードを摺動可能に弾圧挟持する弾性片部が一体形成されていて、この弾性片部によって上記抜落ち防止手段が形成されていることが望ましい。これによれば、挿入口から挿入されたカードが弾性片部とその相手方の側板部とにより弾圧状態で挟持されるので、カードが容易に抜け落ちるという事態が起こらない。また、弾性片部はケースの側板部に一体形成されているので、弾性片部を具備させるのに余分の部品を必要としない。
【００２９】
本発明では、上記ケースの左右の側板部のうちのいずれかに、カードセット位置に挿入されたカードの側端部に具備されている凹入部に嵌合し、かつ、カードに排出方向の一定値以上の力が加えられてそのカードが排出方向に後退したときにそのカードによって上記凹入部から押し出される山形係合部を備えた弾性部が一体形成されていて、この弾性部によって上記ロック手段が形成されていることが望ましい。これによれば、カード側の凹入部に山形係合部が嵌合することによってカードがカードセット位置で位置決めされてロック状態になる。そのため、カードセット位置からカードが容易に引き抜かれて電気的接続状態が不慮に遮断されるという事態が起こりにくく、その結果、接続安定性が向上することになる。また、山形係合部は、ケースの側板部に一体形成された弾性部に備わっているので、山形係合部を具備させるのに余分の部品を必要としない。
【００３０】
本発明では、上記接点列を形成している個々の接点を備えた複数の接片部材が上記ボディの前壁部の複数箇所に固定され、それぞれの接片部材に、上記前壁部から前方へ突出されて上記ボディが重ね合わされる配線基板に半田付けされる半田付け端子が備わっていると共に、上記ケースの左右の側板部が上記ボディの底壁部の後端よりも後方へ延出されてそれらの側板部の後端部に、上記ボディが重ね合わされる配線基板に半田付けされる半田付け端子が備わっていることが望ましい。これによれば、接片部材の半田付け端子とケース側の半田付け端子とを配線基板に判だ付けすることにより、カードコネクタが前端部と後端部とのそれぞれの左右２箇所で配線基板に結合されるようになり、そのために高い実装強度が得られ、かつ、カードコネクタ自体も配線基板によって補強されるようになる。
【００３１】
【発明の実施の形態】
図１は本発明に係るカードコネクタの実施形態を示した概略斜視図、図２は同実施形態を図１とは異なる方向から見て示した概略斜視図、図３はボディ２とスライダ５とを示した部分斜視図、図４はスライダ設置箇所の部分縦断側面図、図５はスライダ設置箇所の部分縦断正面図、図６は挿入口付近を示した部分斜視図、図７はカード１００がカードセット位置で位置決めされている状態を下側から見て示した平面図、図８はカード１００が弾性片部７５とその相手方の側板部３１とにより挟持されている状態を下側から見て示した平面図、図９は位置決め孔２０１に嵌入されているボス２８の水平断面図、図１０は突条２５の作用を説明するための一部破断平面図、図１１は弾性支持片６３の作用を示した説明図である。
【００３２】
図１又は図２において、２はボディ、３はケースであり、ボディ２にケース３を装着することによってコネクタ本体１が形成されていて、ボディ２とケース３とによってカード１００が挿入されるカードスロットＳが形成されている。
【００３３】
図１、図３、図４、図１１などに示したように、ボディ２は平板状の底壁部２１とその底壁部２１の前端縁に沿ってその全幅に亘る前壁部２２とを一体に備えた合成樹脂の一体成形体でなり、前壁部２２に横に並べて形成された複数の取付孔部２３…のそれぞれに接片部材４が個別に取り付けられて固定されていて、その接片部材４の板片部４１が後方に延び出て底壁部２１に対向して配備されていると共に、その接片部材４の半田付け端子４２が前壁部２２から前方へ突出している。そして、図３、図７又は図８のように、上記底壁部横に並んだ長孔状の開口２４が備わっていて、この開口２４によって、上記板片部４１の下方への撓み代が十分に大きく確保されるようになっている。また、コネクタ本体１にあっては、ボディ２の前壁部２２の左右の両端面とケース３の左右の側壁３１，３１の前端部内面とが各別に重なり合っている。そして、それらの重なり箇所では、前壁部２２に形成された凸部２６，２６にケース３の左右の側板部３１，３１に形成された係合孔部３３，３３が嵌合状に係合することによってボディ２の前端部とケース３の前端部とが結合されている。
【００３４】
図３、図４、図５のように、ボディ２の底壁部２１には、左右方向片側に偏った箇所で前壁部２２の内面を起点として後方へ延び出た突条２５が備わっていて、図５のように、前壁部２２の片側の端面に重なりあっているケース３の側板部３１とその突条２５とが左右方向で間隔を隔てて相対向している。また、図１のように、ケースの片側の側板部３１には、その上半部に前後方向に延びる開口３５が形成されている。したがって、開口３５が開設されている側板部３１にはその開口３５の開設箇所の下側部分に残板部３１ａが梁状に備わり、その残板部３１ａが突条２５と間隔を隔てて相対向していることになる。
【００３５】
図３〜図５において、５は合成樹脂の一体成形体でなるスライダであり、このスライダ５は矩形の座部５１とその座部５１の上側のカード受部５２とカード受部５２から外向きに突き出た突起５３とを備え、カード受部５２が座部５１から内向きに突き出ていて、そのカード受部５２の座部５１からの突出し部分と座部５１とによって入隅部５４が形成されている。そして、図３又は図５のように、スライダ５の座部５１が突条２５と上記残板部３１ａとの間に嵌まり込み、かつ、ボディ２の底壁部２１とケース３の上板部３６とに挟まれていることによって、そのスライダ５が前後方向にスライド自在となっている。また、スライダ５の入隅部５４には、上記突条２５が配備され、さらに、スライダ５の突起５３が側板部３１の開口３５から側方へ突き出されてその突起５３を把手として用いることができるようになっている。
【００３６】
図１で判るように、スライダ５の突起５３は、側板部３１の開口３５の前側口縁３５ａと後側口縁３５ｂとの間で前後に押引き操作可能とされている。したがって、スライダ５は突起５３が前側口縁３５ａに当たる位置と後側口縁３５ｂに当たる位置との間で前後にスライド操作することが可能であって、そのストロークを図４に符号Ｖで示してある。また、図４のように、スライダ５に対する摺動面として機能するボディ２の底壁部２１に膨出部２７を形成してあり、スライダ５をスライドさせたときにはこの膨出部２７とケース３の上板部３６との間でスライダ５が弾圧されてそのがたつきが防止され、しかも、スライダ５が前側の限界位置までスライドされたときや後側の限界位置までスライドされたときには、その膨出部２７がスライダ５に係合してスライダ５がその位置で位置決めされる。
【００３７】
スライダ５のカード受部５２は湾曲面５２ａを備えている。そして、図７又は図８で類推できるように、カード１００がケースの左右の側板部３１，３１により案内されて正規姿勢で挿入されてきたときには、そのカード１００の前端の湾曲した片側コーナ１１０がカード受部５２の湾曲面５２ａに突き当たってスライダ５がシード１００と共に押し込まれるようになっている。また、図１０のように、カード１００の片側コーナ１１０の裏側にそのカード１００の前端から後方へ延び出て上記突条２５が嵌合可能な凹入溝１２０と、スライダ５の座部５１を収容可能な凹所１２１とが備わっていて、カードが正規姿勢で挿入されてきたときには、カード１００の片側コーナ１１０がカード受部５２の湾曲面５２ａに突き当たることと併せて、凹入溝１２０と凹所１２１とに突条２５とスライダ５の座部５１とが嵌合又は収容されるようになっている。
【００３８】
図７又は図８のように、ボディ２の底壁部２１の後端側の左右コーナ部のそれぞれにボス２８が備わっている。このボス２８は、外面の一部が平坦に形成された異形ボスでなっていると共に、図３、図４又は図９のように、その外向きの外面で開口する凹窪状の溝部２９を備えている。そして、左側のボス２８の溝部２９に、ケース３の左側の側板部３１の下端に曲成された内向きの係止片３７が嵌入して係止され、右側のボス２８の溝部２９には、ケース３の右側の側板部３１の下端に曲成された内向きの係止片３７が嵌入して係止されていて（図１又は図２参照）、これらの溝部２９と係止片３７とが係止構造を形作っている。
【００３９】
次に、図１又は図２のように、ケース３の上板部３６と左右の側板部３１，３１とは、ボディ２の底壁部２１の後端よりも後方へ延出されている。そして、ケース３の左右の側板部３１，３１には、上板部３６の後端部に対向してカードの挿入口６１を形成する内向き片６２，６２が備わっていると共に、図７又は図８のように、それらの各内向き片６２には、前方へ延び出た弾性支持片６３が連設されている。図６のように、この弾性支持片６３は、その基部６３ａを屈曲して前上がり姿勢に保形されている。このため、挿入口６１を通してカード１００を挿入すると、図１１のように、そのカード１００が弾性支持片６３により持ち上げられてカードスロットＳに挿入されるようになり、カード１００の先端１０１がボディ２の底壁部２１の後端に引掛かったり突き当たったりしてカード１００の円滑な挿入が阻害されるような事態が起こりにくい。なお、図６には、弾性支持片６３の傾斜角度をθで示してある。
【００４０】
また、図１、図７又は図８のように、ケース３の片側の側板部３１には、その側板部３１の一部を切り起こして形成された片持ち板片状の弾性部７１が前向きに形成されていて、その弾性部７１の先端には、内向きに膨らみ出た山形係合部７２が備わっている。この山形係合部７２は、図７のようにカード１００がカードスロットＳに挿入されてカードセット位置に達したときに、そのカード１００の側端部に具備されている凹入部１３０に嵌合する。これに対し、ケース３の他側の側板部３１には、その側板部３１の一部を内向きに膨出させることによって形成された両持ち板片状の弾性片部７５が備わり、この弾性片部７５とそれに対向する片側の側板部３１とが共働して、上記挿入口６１から挿入されたカード１００を摺動可能に弾圧挟持するようになっている。さらに、図７又は図８のように、ケース３の左右の側板部３１，３１の後端部に半田付け端子７７，７７が備わっている。
【００４１】
このように構成されたカードコネクタの作用を次に説明する。
このカードコネクタは、図４又は図１１のように配線基板２００の板面に重なり状に配備される。その際、ボディ２の左右のボス２８が図９のように配線基板２００に開設された位置決め孔２０１に嵌合されて配線基板２００上の所定位置に位置決めされる。そして、ボディ２の前壁部２２の前側に突き出た半田付け端子４２…と、ケース３の左右の側壁部３１，３１の後端部に備わっている半田付け端子７７，７７とが配線基板２００の半田付けランドに半田付けされる。このため、カードコネクタはその前端部が複数箇所が配線基板２００に半田付けされ、かつ、後端部の左右両側の２箇所が配線基板２００に半田付けされて配線基板２００に強固に結合される。
【００４２】
また、コネクタ本体１において、ボディ２とケース３とは、それらの前端部が左右両側で凸部２６と係合溝部３３との係合によって結合され、かつ、ボディ２の底壁部２１の後端部とケース３とが、底壁部２１の左右両側のボス２８とそのボス２８の溝部２９に係止させた係止片３７とによって結合されるので、底壁部２１を成形技術面で許容される範囲で可及的薄く形成しておいても、その底壁部２１を含めたボディ２の全体が板金製のケース３によってバランスよく補強されることになり、ボディ２、特にその底壁部２１が容易に反り変形を起こしたり亀裂や割れを生じたりすることがない。しかも、ボディ２の底壁部２１をケース３に結合する手段として、底壁部２１の設けた位置決め用のボス２８を活用してその溝部２９にケース３側の係止片３７を嵌入して係止させるという手段を採用しているので、ボディ２の底壁部２１とケース３との結合箇所の高さに係止片３７の厚さが影響を及ぼさなくなって、カードコネクタ全体の高さ（厚さ）を低く（薄く）することによる薄形化を促進しやすくなる。
【００４３】
さらに、カードスロットＳにカード１００を挿入するときには、ボディ２の全体を内側に抱え込んでいるケース３の左右の側板部３１，３１がカード１００の左右両端面を摺動させて案内し、しかも、スライダ５がその片側の側板部３１とボディ２側の突条２５との間に嵌まり込んで摺動するようになっているので、スライダ５がカード１００の側方に突き出さなくなる。そのため、カードコネクタの全体幅がカードスロットＳの横幅とケース３の左右の側板部３１，３１の厚さを合わせた寸法にまで縮小される。このことにより、上記したような薄形化が促進されていることと全体幅が縮小されることとが相乗して、カードコネクタを冒頭で説明した超小形カードに見合う大きさにまで小形化することが可能になる。
【００４４】
さらに、ケース３の左右の側壁部３１，３１の後端部に設けた内向き片６２に、前上がりに傾斜した弾性支持片６３を形成し、この弾性支持片６３によってカード１００を持ち上げてカードスロットＳに挿入することができるようになっているので、既述したようにカード１００がボディ２の底壁部２１の後端に引っ掛かったり突き当たったりするおそれが少なくなる。そのため、カードコネクタが可及的薄形化しても、カード１００を配線基板２００と擦れることなく円滑にカードスロットＳに挿入することが可能になる。しかも、上記弾性支持片６３を前上がりに傾斜させているため、ケース３をプレス成形された板金製とする場合に、プレス成形の歪みによってその弾性支持片６３がカードスロっトＳの下側に張り出してその弾性支持片６３がカードコネクタの全体を配線基板２００に重ね合わせることの障害になるようなことがなくなり、そのことによって、配線基板２００に重ね合わせたカードコネクタの各半田付け端子４２，７７を配線基板２００に良好にリフロー半田付けすることが可能になり、リフロー半田付け不良が生じにくくなるという利点がある。
【００４５】
次に動作を説明する。
【００４６】
カード１００をその挿入口６１を通して挿入すると、その初期には、図８のように、弾性片部７５とその相手方である側壁部３１との間に分け入ってカード１００が、それらの弾性片部７５と側壁部３１とによって弾圧される。そのため、この状態では、カード１００がハーフロック状態に保たれて容易に抜け落ちるとう事態が防止される。また、このときには、弾性部７１の山形係合部７２にカード１００が乗り上がっている。
【００４７】
この後、カード１００を押し込むと、カード１００の片側コーナ１１０がスライダ５のカード受部５２の湾曲面５２ａに突き当たってそのスライダ５が押し込まれる。カード１００の片側コーナ１１０がスライダ５のカード受部５２に突き当たるときには、カード１００が正規姿勢で挿入されているときであるから、図１０のように、カード１００の凹入溝１２０にボディ２側の突条２５が入り込んでカード１００がカードセット位置に達する。これに対し、カード１００が裏返し姿勢で挿入されたような場合には、カード１００の前端面が上記突条２５の端面に突き当たってそれ以上押し込むことができなくなるので、それによってカードが誤挿入が防止される。
【００４８】
カード１００がカードセット位置に挿入されると、図７のように、弾性部７１の弾性によってカード１００の凹入部１３０に山形係合部７２が嵌合する。そのため、山形係合部７２がカード１００に係合してカード１００の排出を阻止する作用を発揮するようになり、カード１００に排出方向の一定値以上の力が加えられない限り、カード１００が後退しなくなって、カード１００の電極とボディ２側の複数の接片部材４によって形成されている接点列との接触安定性が確保される。山形係合部７２がカード１００に係合しているときには、そのカード１００に図８で説明した弾性片部７５と側板部３１との挟圧作用が働いているので、カード１００がカードセット位置に確実に位置決めされるようになる。したがって、山形係合部７２がカード１００に係合することによってカード１００がカードセット位置にフルロックされることになる。
【００４９】
また、カード１００がカードセット位置に挿入されることによって、カード１００によって押し込まれたスライダ５については、その把手としての突起５３がケース３の開口３５の前部に位置し、しかも、図４に仮想線で示したように、スライダ５の座部５１がボディ２の底壁部２１の膨出部２７によってその位置に位置決めされる。そのため、突起５３が小さい力で後方へ押されたに過ぎない程度では、スライダ５が後退してカード１００を押し戻すという事態が起こらなくなり、このことが、上記した接触安定性をさらに高めることに役立つ。
カード１００をカードセット位置から排出するときには、把手としての突起５３を後方へ押してスライダ５を後退させる。これにより、カード１００が後方へ押し戻されて排出される。この場合にも、図８で説明した弾性片部７５と側板部３１との挟圧作用が働いているので、カード１００がカードコネクタの後方へ飛び出してしまうという事態が防止される。
【００５０】
この実施形態では、スライダ５の突起５３を配備する開口３５をケース３の側板部３１に設けたけれども、この開口をケース３の上板部３６に形成してその上板部３６の開口に突起を配備することも可能である。また、位置決め用のボス２８は、ボディ２の底壁部２１の後端の左右２箇所に設けてあるけれども、このボス２８をボディ２の底壁部２１の後端の任意位置に形成した位置決め用の凸部によって形成し、その凸部に具備させた凹溝に、ケース側の係止片を係止させるようにすることも可能である。
【００５１】
【発明の効果】
以上のように、本発明によれば、ボディの左右の側壁部を省略した代わりに、カードの案内作用をケースの側板部が発揮するように構成し、しかも、イジェクト機構としてのスライダをケースの内側に配備しているので、ボディやスライダの小形化を通じて全体のコンパクト化を達成しやすくなり、特に、全体幅をカードスロット幅とケースの左右の側板部の厚さとを合わせた程度の寸法に縮小することが可能になるため、超小形カードを使用対象とするカードコネクタの大きさをその超小形カードの大きさに見合うほどにコンパクトにすることが可能になるという効果が奏される。この効果は、ボディとケースとの２部品だけでスライダを前後移動可能に配備することによっていっそう助長される。
【００５２】
また、合成樹脂成形体によって形成されるボディの底壁部を、成形技術面で許容される最小の肉厚寸法にしてその薄形化を図ったり、ボディに組み付けられる接片部材を底壁部に近付けて配備することによって全体の薄形化を図っても、ボディやその底壁部の必要強度を確保しやすく、接片部材に十分に大きな撓み代を確保しやすいので、カード電極と接点列との接触安定性を向上させやすい薄型のカードコネクタを容易に提供することが可能になる。
【００５３】
そのほか、薄形化したカードコネクタを配線基板の板面に重ね合わせて搭載した場合でも、カードスロットに対して挿抜されるカードが配線基板の板面と擦れて損傷するといった事態を起こりにくくすることが可能であり、さらに、超小形カードに合わせてその大きさを縮小することが可能でありながら、カードがカードセット位置から不慮に引き抜かれる可能性を抑えることが可能になる。そして、ボディとケース以外の余分な部品を用いずに、カードをロック状態にしたり、カードをカードセット位置以外の箇所でハーフロックしたりする機能を供えさせることも可能になる。
【図面の簡単な説明】
【図１】本発明に係るカードコネクタの実施形態を示した概略斜視図である。
【図２】同実施形態を図１とは異なる方向から見て示した概略斜視図である。
【図３】ボディとスライダとを示した部分斜視図である。
【図４】スライダ設置箇所の部分縦断側面図である。
【図５】スライダ設置箇所の部分縦断正面図である。
【図６】挿入口付近を示した部分斜視図である。
【図７】カードがカードセット位置で位置決めされている状態を下側から見て示した平面図である。
【図８】カードがハーフロックされている状態を下側から見て示した平面図である。
【図９】位置決め孔に嵌入されているボスの水平断面図である。
【図１０】突条の作用を説明するための一部破断平面図である。
【図１１】弾性支持片の作用を示した説明図である。
【符号の説明】
１  コネクタ本体
２  ボディ
３  ケース
４  接片部材
５  スライダ
２１  底壁部
２２  前壁部
２４  底壁部に形成した開口
２５  突条
２８  ボス（凸部）
２９  溝部
３１  側板部
３５  開口
３５ａ  開口の前側口縁
３５ｂ  開口の後側口縁
３６  上板部
３７  係止片
４１  板片部
４２，７７  半田付け端子
５１  座部
５２  カード受部
５３  突起（把手）
５４  入隅部
６２  内向き片
６３  弾性支持片
７１  弾性部
７２  山形係合部（ロック手段）
７５  弾性片部（防ぐ抜落ち防止手段）
１００  カード
１３０  カードの凹入部
２００  配線基板
Ｓ  カードスロット
【図１】
2004200096.tif 000003
【図２】
2004200096.tif 000004
【図３】
2004200096.tif 000005
【図４】
2004200096.tif 000006
【図５】
2004200096.tif 000007
【図６】
2004200096.tif 000008
【図７】
2004200096.tif 000009
【図８】
2004200096.tif 000010
【図９】
2004200096.tif 000011
【図１０】
2004200096.tif 000012
【図１１】
2004200096.tif 000013